(57)【要約】【課題】固定電話機と固定電話回線へ電話機アダプタを接続する際に接続方向が制限されないようにする。【解決手段】固定電話機からダイアル信号が発信された際に前記ダイアル信号をそのまま前記固定電話回線へ出力する第１のダイアル信号出力手段と、前記固定電話機からのダイアル信号が、予め設定されている設定ダイアル信号か否かを判定する発信ダイアル信号検知手段と、前記固定電話機からのダイアル信号が前記設定ダイアル信号であると前記発信ダイアル信号検知手段により検知された場合、前記第１のダイアル信号出力手段による前記固定電話回線へのダイアル信号出力を終了させる一旦終了手段と、前記固定電話機からのダイアル信号に付加情報を付加した付加後ダイアル信号を、前記一旦終了手段による終了状態後に前記固定電話回線へ出力する第２のダイアル信号出力手段と、を備える。【選択図】        図１
2006166195.tif 000002
【特許請求の範囲】
【請求項１】
固定電話機または固定電話回線の何れか一方に接続される接続端子と他方に接続される接続端子を備え、前記固定電話機からのダイアル信号が、予め設定されている設定ダイアル信号の場合に、前記固定電話機からのダイアル信号に付加情報を加えた付加後ダイアル信号を、前記固定電話回線に出力する電話機アダプタにおいて、
前記固定電話機からダイアル信号が発信された際に前記固定電話機からのダイアル信号をそのまま前記固定電話回線へ出力する第１のダイアル信号出力手段と、
前記固定電話機からのダイアル信号が、前記設定ダイアル信号か否かを判定する発信ダイアル信号検知手段と、
前記固定電話機からのダイアル信号が前記設定ダイアル信号であると前記発信ダイアル信号検知手段により判定された場合、前記第１のダイアル信号出力手段による前記固定電話回線へのダイアル信号出力を終了させる一旦終了手段と、
前記固定電話機からのダイアル信号に付加情報を付加した付加後ダイアル信号を、前記一旦終了手段による終了状態後に前記固定電話回線へ出力する第２のダイアル信号出力手段と、
を備え、
前記両接続端子の何れか任意の一方を前記固定電話機に接続し、他方を前記固定電話回線と接続可能にしたことを特徴とする電話機アダプタ。
【請求項２】
前記設定ダイアル信号が、携帯電話機に対する呼び出し信号であり、
前記付加情報が、予め設定されているキャリア識別情報であることを特徴とする請求項１に記載の電話機アダプタ。
【発明の詳細な説明】
【技術分野】
【０００１】
本発明は、二つの接続端子の一方を固定電話機、他方を固定電話回線に接続する電話機アダプタに関し、特には両接続端子の何れを固定電話機あるいは固定電話回線と接続しても使用可能な電話機アダプタに関する。
【背景技術】
【０００２】
従来、固定電話機と固定電話回線間に接続される電話機アダプタとして、固定電話機から電話を掛ける際に固定電話機から発信されたダイアル信号が予め設定されているダイアル信号か否か判定し、予め設定されているダイアル信号の場合には特定のキャリア（電話会社）と接続するものが知られている。
【０００３】
ところで、固定電話機から相手電話機への接続は、固定電話機のダイアルを回すことにより、または固定電話機のボタンを押すことにより接続相手先のダイアル信号が発信されると、そのダイアル信号に従った呼び出し信号が固定電話回線を介して接続先電話機へ送信され、それにより接続相手先の電話機で呼び出し音が鳴らされ、その呼び出し音を聞いて接続相手が電話機を取り上げる（オフフック）ことにより電話が接続されるようになっている。
【０００４】
従来の電話機アダプタにおいては、固定電話回線との接続側に消音回路を設け、固定電話機との接続側から入力されたダイアル信号に対する判定処理や付加情報処理がアダプタ内で終了するまで、ダイアル信号に従う呼び出し信号が固定電話回線に流れるのを阻止している。そのため、従来の電話機アダプタにおいては、固定電話回線との接続専用の接続端子と固定電話機との接続専用の接続端子を備え、固定電話回線と固定電話機に電話機アダプタの接続端子を正しく接続することによって、前記消音回路を固定電話回線側に位置させるようにしていた。
【０００５】
しかし、電話機アダプタと固定電話機との接続に使用されるケーブルと、電話機アダプタと固定電話回線との接続に使用されるケーブルとは、何れもコネクタが同一形状のため、電話機アダプタを逆の向きにして固定電話機と固定電話回線に接続することが起きやすく、それに伴う問題が発生しやすかった。
【特許文献１】特開平１１−４１３３５号公報
【発明の開示】
【発明が解決しようとする課題】
【０００６】
本発明は、前記の点に鑑みなされたものであって、固定電話機と固定電話回線への接続時に、両接続端子における何れの一方を固定電話機と接続し、他方を固定電話回線と接続しても使用することができ、接続方向が制限されない固定電話機アダプタの提供を目的とする。
【課題を解決するための手段】
【０００７】
請求項１の発明は、固定電話機または固定電話回線の何れか一方に接続される接続端子と他方に接続される接続端子を備え、前記固定電話機からのダイアル信号が、予め設定されている設定ダイアル信号の場合に、前記固定電話機からのダイアル信号に付加情報を加えた付加後ダイアル信号を、前記固定電話回線に出力する電話機アダプタにおいて、前記固定電話機からダイアル信号が発信された際に前記固定電話機からのダイアル信号をそのまま前記固定電話回線へ出力する第１のダイアル信号出力手段と、前記固定電話機からのダイアル信号が、前記設定ダイアル信号か否かを判定する発信ダイアル信号検知手段と、前記固定電話機からのダイアル信号が前記設定ダイアル信号であると前記発信ダイアル信号検知手段により判定された場合、前記第１のダイアル信号出力手段による前記固定電話回線へのダイアル信号出力を終了させる一旦終了手段と、前記固定電話機からのダイアル信号に付加情報を付加した付加後ダイアル信号を、前記一旦終了手段による終了状態後に前記固定電話回線へ出力する第２のダイアル信号出力手段と、を備え、前記両接続端子の何れか任意の一方を前記固定電話機に接続し、他方を前記固定電話回線と接続可能にしたことを特徴とする。
【０００８】
請求項２の発明は、請求項１において、前記設定ダイアル信号が、携帯電話機に対する呼び出し信号であり、前記付加情報が、予め設定されているキャリア識別情報であることを特徴とする。
【発明の効果】
【０００９】
請求項１の発明の電話機アダプタによれば、消音回路に相当するものを不要にでき、両接続端子における何れの一方を固定電話機と接続し、他方を固定電話回線と接続しても使用することができ、接続方向の制限を無くすことができる。
【００１０】
請求項２の発明によれば、固定電話機から携帯電話機に電話を掛ける際に、接続相手先の携帯電話番号に特定のキャリア（電話会社）識別情報を付加することによって、前記キャリア（電話会社）の所定のサービス、例えば固定電話機から携帯電話機への通話に対する通話料金の割引サービスを受けることができるようにする電話機アダプタについても、消音回路に相当するものを不要にでき、両接続端子における何れの一方を固定電話機と接続し、他方を固定電話回線と接続しても使用することができ、接続方向の制限を無くすことができる。
【発明を実施するための最良の形態】
【００１１】
以下この発明の実施形態を説明する。図１は本発明の一実施形態に係る電話機アダプタのブロック図、図２は固定電話機と固定電話回線との接続を逆にした場合の電話機アダプタのブロック図、図３は本発明の一実施形態に係る電話機アダプタのタイムフローチャートである。
【００１２】
図１及び図２に示す電話機アダプタ１０は、二線式の固定電話機と固定電話回線間に設けられるものであり、二つの接続端子Ａ，Ｂの任意の一方（図１では接続端子Ａ、図２では接続端子Ｂ）が固定電話回線に接続され、他方（図１では接続端子Ｂ、図２では接続端子Ａ）が固定電話機に接続される。
【００１３】
前記接続端子Ａ，Ｂ間には、極性レス回路１１、レギュレータ１３、通話回路１５、選択信号検知回路１７、制御部１９及び選択信号出力回路２１を備える。なおこの実施例の電話機アダプタ１０は、電話機アダプタの電源用として内部にＡＣ電源の電圧変換手段や乾電池、充電地を備えないものである。
【００１４】
極性レス回路１１は、固定電話回線と電話機アダプタ１０の接続に際して、固定電話回線の極性を逆にしても接続できるようにするためのもので、ダイオードのブリッジ回路で構成されている。
【００１５】
レギュレータ１３は、この電話機アダプタ１０の電圧変換手段に相当し、固定電話回線と固定電話機に対して直列となる経路に設けられている。前記レギュレータ１３は、固定電話機がオフフックされることによって電話局と電話機アダプタ１０及び固定電話機が閉ループを構成することにより、固定電話回線を介して電話局から供給される電源（局給電電流）を作動電源としている。本実施例では、レギュレータ１３は、前記極性レス回路１１に接続されている。前記レギュレータ１３は定電圧回路で構成され、固定電話機がオフフックされることによって作動を開始し、固定電話回線を介して供給される電源をアダプタ用電圧（本実施例では＋３Ｖ）に変換して制御部１９へ出力する。
【００１６】
通話回路１５は、本発明における第１のダイアル信号出力手段として相当すると共に、通話に必要な動作、すなわち発信、着信、通話状態の維持を行う。前記通話回路１５は、前記のように固定電話回線と固定電話機に対して直列となる経路に設けられ、固定電話機のオフフックにより固定電話回線を介して供給される電源を作動電源とし、前記オフフックによって作動を開始する。前記通話回路１５では、固定電話機がオフフックとされて接続相手先電話番号のダイアル信号が固定電話機から発信されると、接続相手先が固定電話機か携帯電話機かに関わらず、そのままダイアル信号を固定電話回線へ出力する。本実施例では、通話回路１５は、前記極性レス回路１１と制御部１９に接続されている。
【００１７】
選択信号検知回路１７は、本発明の発信ダイアル信号検知手段に相当し、固定電話回線と固定電話機に対して直列となる経路に設けられ、前記のように固定電話機がオフフックされることにより固定電話回線を介して供給される電源を作動電源としている。本実施例では、選択信号検知回路１７は、前記極性レス回路１１と制御部１９に接続されている。前記選択信号検知回路１７は、固定電話機がオフフックされることにより作動を開始し、固定電話機から発信されたダイアル信号が、予め設定されているダイアル信号か否かを判定し、予め設定されているダイアル信号であると判定した場合に前記固定電話機からのダイアル信号が制御部１９に出力される。本実施例では、前記設定ダイアル信号は、携帯電話機の呼び出し信号に設定され、具体的には、携帯電話機の電話番号を示す「０９０」あるいは「０８０」が含まれているダイアル信号に設定されている。
【００１８】
制御部１９は、本発明の一旦終了手段に相当すると共に、選択信号出力回路２１と共に本発明における第２のダイアル信号出力手段に相当する。前記制御部１９は、前記レギュレータ１３によりアダプタ用電圧に変換された電源を作動電源とし、固定電話機のオフフック時に作動する。前記制御部１９は、ＣＰＵを備え、予め付加情報、本実施例ではキャリア識別情報が読み出し可能に記憶されており、プログラムにしたがって制御を行う。前記制御部１９に予め記憶されているキャリア識別情報は、固定電話機から携帯電話機へ電話をかける際に、電話番号の始めに付加することによって、前記キャリア（電話会社）が定めるサービス（本実施例では通話料割引サービス）を受けられるようにするためのものであり、サービスを受けるキャリア（電話会社）に対して定められている数字、例えば「００３９」や「００３６」、あるいは「００３３」等からなる。
【００１９】
前記制御部１９では、固定電話機からのダイアル信号が設定ダイアル信号であると前記選択信号検知回路１７で判定されて前記選択信号検知回路１７により出力された固定電話機からのダイアル信号、この例では携帯電話機の呼び出し信号を受信すると、固定電話機からのダイアル信号を前記通話回路１５により固定電話回線に出力するのを一旦終了させる。次いで、前記付加情報、本実施例では前記キャリア識別情報を読み出して、前記固定電話機からのダイアル信号に付加し、該付加後ダイアル信号を選択信号出力回路２１に出力する。なお、前記選択信号検知回路１７において、固定電話機からのダイアル信号が設定ダイアル信号、本実施例では携帯電話機の呼び出し信号ではない、すなわち固定電話機の呼び出し信号であると判定された場合、前記選択信号検知１７から前記制御部１９には何ら制御信号が出力されず、前記制御部１９は、前記通話回路１５に対して固定電話機からのダイアル信号を固定電話回線に出力するのを終了させることを行わず、そのまま相手固定電話機の呼び出しが行われる。
【００２０】
選択信号出力回路２１は、前記のように制御部１９と共に本発明における第２のダイアル信号出力手段に相当し、固定電話回線と固定電話機に対して直列となる経路に設けられ、前記のように固定電話機がオフフックされることによって固定電話回線を介して電話局から供給される電源を作動電源としている。前記選択信号出力回路２１は、本実施例では前記極性レス回路１１と制御部１９に接続され、前記制御部１９から送信された付加後ダイアル信号を固定電話回線へ出力し、付加後ダイアル信号に従う呼び出しを接続先相手携帯電話機に対して行う。
【００２１】
前記電話機アダプタ１０は、図３のタイムフローチャートに示すように、固定電話機からのダイアル信号（ＤＴ）を、設定ダイアル信号であるか否かに関わらず、まず固定電話回線（一般公衆網）に接続し、ダイアル信号が設定ダイアル信号の場合には、一旦、固定電話回線（一般公衆網）へのダイアル信号の出力を終了させる。例えば、電話機アダプタと一般公衆網間をフッキングするなどして接続を一旦終了させる。そのため、従来必要とされたトーン信号を固定電話回線（一般公衆網）へ送出することを阻止する手段（消音回路）が不要になったのである。その後、固定電話機からのダイアル信号に付加情報を付加した付加後ダイアル信号を固定電話回線に出力して接続先相手電話機を呼び出す。なお、図３中の「ＲＢＴ」はリングバックトーン（呼び出し音）を示す。
【００２２】
このように前記電話機アダプタ１０においては、固定電話機からのダイアル信号をまず固定電話回線に出力し、固定電話機からのダイアル信号が設定ダイアル信号ではない場合、そのまま接続先相手電話機を呼び出して接続を可能とし、一方、固定電話機からのダイアル信号が設定ダイアル信号の場合には、一旦固定電話回線へのダイアル信号の出力を終了させ、固定電話機からのダイアル信号に付加情報を付加した付加後ダイアル信号を固定電話回線に出力して接続先相手電話機を呼び出し、接続可能とするため、従来の電話機アダプタのように、固定電話機との接続側に消音回路に相当するものを不要にでき、前記接続端子Ａ，Ｂの何れを固定電話機あるいは固定電話回線の接続側としても、問題無く作動することができる。したがって、前記電話機アダプタ１０によれば、電話機アダプタ１０を固定電話機と固定電話回線に接続する際に、接続方向の誤りによる誤作動を生じるおそれを無くすことができる。
【００２３】
なお、本発明は、前記の実施形態、すなわち固定電話機から携帯電話機に電話をかける際に予め設定されているキャリア（電話会社）識別情報を付加する電話機アダプタに限定されず、他の用途に用いられる電話機アダプタであってもよく、用途に応じて構成が変更される。また、電話機アダプタの電源用として、内部にＡＣ電源の電圧変換手段や乾電池、充電地を備えるようにしてもよい。
【図面の簡単な説明】
【００２４】
【図１】本発明の一実施形態に係る電話機アダプタのブロック図である。
【図２】固定電話機と固定電話回線との接続を逆にした場合の電話機アダプタのブロック図である。
【図３】本発明の一実施形態に係る電話機アダプタのタイムフローチャートである。
【符号の説明】
【００２５】
１０  電話機アダプタ
１１  極性レス回路
１３  レギュレータ
１５  通話回路
１７  選択信号検知回路
１９  制御部
２１  選択信号出力回路
【図１】
2006166195.tif 000003
【図２】
2006166195.tif 000004
【図３】
2006166195.tif 000005